(57)【要約】  本発明は、結合部材と、これを有する擁壁構造物及びその築造方法に関する。結合部材は、互いに離隔されて一方向に伸延された一対の下方突出部１１，２１、及び一対の下方突出部１１，２１の一端を互いに連結し、下方突出部１１，２１の突出方向に対して略垂直に備えられる連結部１３，２３を有する。擁壁水平層１００，２００，３００間に配置された結合部材１０，２０が上下に隣接配置された擁壁ユニット１１０，２１０，３１０間に作用する水平方向のせん断力を支え、擁壁ユニット１１０，２１０，３１０を上下に支持結合することによって擁壁構造物の耐久性を半永久的に向上させる。
2009511794.tif 000002
【特許請求の範囲】
【請求項１】
互いに離隔されて一方向に伸延された一対の下方突出部と、
前記下方突出部の突出方向に対して略垂直に前記下方突出部の端部を互いに連結する連結部と、を有する擁壁構造物の結合部材。
【請求項２】
前記下方突出部の反対方向に前記連結部から延長された一対の上方突出部をさらに有する請求項１に記載の擁壁構造物の結合部材。
【請求項３】
前記各下方突出部は、その突出端部に矢尻状部を有する請求項１に記載の擁壁構造物の結合部材。
【請求項４】
水平方向に隣接配置された複数の第１擁壁ユニットにより形成された第１擁壁水平層と、
前記第１擁壁水平層と平行で、前記第１擁壁水平層上に水平方向に隣接配置された複数の第２擁壁ユニットにより形成された第２擁壁水平層と、
前記第２擁壁ユニットを貫通して前記第１擁壁ユニット内部に突出し、互いに離隔されて一方向に伸延された一対の下方突出部、及び、前記下方突出部の突出方向に対して略垂直に前記下方突出部の端部を互いに連結する連結部、を有し、前記第１擁壁ユニットと第２擁壁ユニットとを互いに支持するために前記第２擁壁水平層の上に配置された結合部材と、
を具備する擁壁構造物。
【請求項５】
一端部が前記第１擁壁水平層と第２擁壁水平層との間に配置され、他端部が前記擁壁ユニットにより支持される後埋立土内に延長され、前記下方突出部を受容する複数の貫通ホールを有する第１ジオグリッドシートをさらに具備する請求項４に記載の擁壁構造物。
【請求項６】
水平方向に隣接配置された複数の第１擁壁ユニットにより形成された第１擁壁水平層と、
前記第１擁壁水平層と平行で、前記第１擁壁水平層上に水平方向に隣接配置された複数の第２擁壁ユニットにより形成された第２擁壁水平層と、
前記第２擁壁水平層と平行で、前記第２擁壁水平層上に水平方向に隣接配置された複数の第３擁壁ユニットにより形成された第３擁壁水平層と、
前記第３及び第２擁壁ユニットを貫通して前記第１擁壁ユニット内部に突出し、互いに離隔されて一方向に伸延された一対の下方突出部、及び、前記下方突出部の突出方向に対して略垂直に前記一対の下方突出部の一端を互いに連結する連結部、を有し、前記第１擁壁ユニット、第２擁壁ユニット及び第３擁壁ユニットが互いに支持できるようにするために前記第３擁壁水平層の上に配置された結合部材と、
を具備する擁壁構造物。
【請求項７】
一端部が前記第１擁壁水平層と第２擁壁水平層との間あるいは第３擁壁水平層の上に配置され、他端部が前記擁壁ユニットにより支持される後埋立土内に延長され、前記下方突出部を受容する複数の貫通ホールを有する第１、第２ジオグリッドシートをさらに有する請求項６に記載の擁壁構造物。
【請求項８】
前記結合部材は、前記下方突出部の反対方向に前記連結部から延長された一対の上方突出部をさらに有する請求項４ないし請求項７のうちいずれか一項に記載の擁壁構造物。
【請求項９】
前記各下方突出部は、その突出端部に矢尻状部を有する請求項４ないし請求項７のうちいずれか一項に記載の擁壁構造物。
【請求項１０】
前記擁壁ユニットは、砂袋または土袋である請求項４乃至請求項７のうちいずれか一項に記載の擁壁構造物。
【請求項１１】
前記擁壁ユニットは、擁壁築造後硬化する性質を有する材料で作られている請求項４乃至請求項７のうちいずれか一項に記載の擁壁構造物。
【請求項１２】
水平方向に相互に隣接されるように複数の第１擁壁ユニットを配置することにより第１擁壁水平層を形成する工程と、
前記第１擁壁水平層上で複数の第２擁壁ユニットを水平方向に相互に隣接配置することにより前記第１擁壁水平層上に第２擁壁水平層を平行に形成する工程と、
一方向に伸延されかつ互いに離隔された一対の下方突出部と、前記下方突出部の各一端に略垂直に連結されることにより前記下方突出部を連結する連結部と、を有し、一対の下方突出部が前記第２擁壁ユニットを貫通して前記第１擁壁ユニット内部に突出される結合部材を、前記第２擁壁水平層に釘打ちする工程と、
を有する擁壁構造物築造方法。
【請求項１３】
水平方向に相互に隣接されるように複数の第１擁壁ユニットを配置することにより第１擁壁水平層を形成する工程と、
前記第１擁壁水平層上で複数の第２擁壁ユニットを水平方向に相互に隣接配置することにより前記第１擁壁水平層上に第２擁壁水平層を平行に形成する工程と、
第３擁壁水平層を前記第２擁壁水平層上に水平方向に隣接配置することにより前記第２擁壁水平層上に第３擁壁ユニットを平行に形成する工程と、
一方向に伸延されかつ互いに離隔された一対の下方突出部と、前記下方突出部の各一端に略垂直に連結されることにより前記下方突出部を連結する連結部と、を有し、前記下方突出部が前記第３擁壁ユニット及び第２擁壁ユニットを貫通して前記第１擁壁ユニット内に突出される結合部材を、前記第３擁壁水平層に釘打ちする工程と、
を有する擁壁構造物築造方法。
【請求項１４】
前記結合部材は、前記下方突出部の反対方向に前記連結部から延長された一対の上方突出部をさらに有する請求項１２又は請求項１３に記載の擁壁構造物築造方法。
【請求項１５】
前記各下方突出部は、その突出端部に矢尻状部を有する請求項１２又は請求項１３に記載の擁壁構造物築造方法。
【請求項１６】
前記擁壁ユニットは、砂袋または土袋である請求項１２又は請求項１３に記載の擁壁構造物築造方法。
【請求項１７】
前記擁壁ユニットは、擁壁築造後硬化する性質を有する材料で作られている請求項１２又は請求項１３に記載の擁壁構造物築造方法。
【発明の詳細な説明】
【技術分野】
【０００１】
技術分野
本発明は、擁壁構造物に関するものであって、さらに詳細には、上下隣接する擁壁水平層間に配置され擁壁ユニットを結合する結合部材と、これを有する擁壁構造物及びその築造方法に関する。
【背景技術】
【０００２】
背景技術
擁壁は、道路の傾斜部や堤防の土圧による崩壊を防止し、支持するために築造される。一般的に、水平方向の変位は、高張力でかつ摩擦力に優れた、例えば、ジオグリッドのような繊維材からなる補強材を道路の傾斜部や堤防と擁壁との間の空間を満たすことにより抑制している。
【０００３】
つまり、前記擁壁は、道路の傾斜部や堤防のような種々構造の安定化を引き受ける。したがって、種々の擁壁構造やその構築方法が紹介されている。例えば、噛合ブロックが盛土体の土圧を支持する擁壁を構築するために使用される。また、このような噛合ブロックの代わりに砂袋または土袋等も使用される。
【０００４】
しかし、従来、砂袋または土袋等で築造された擁壁の場合、砂袋または土袋が互いに固定されず、単に自重により互いに位置が維持されているため、施工が完了後に、背面の後埋立部分の沈下発生等の問題が生じれば、擁壁間に発生する水平方向のせん断力により垂直方向の形態は容易に崩れ、これによりジオグリッドのような補強材が破断される問題が生じる。したがって、築造できる擁壁の高さや傾斜が非常に制限され、また擁壁の耐久性も低下するという問題点がある。
【発明の開示】
【発明が解決しようとする課題】
【０００５】
発明の開示
発明が解決しようとする課題
本発明は、上述の問題点を解決するためになされたもので、築造される擁壁の水平層間で発生する水平方向のせん断力を支えることができるように上下隣接する擁壁ユニットを結合して擁壁構造物の耐久性を向上させることができる擁壁構造物の結合部材を提供することを目的とする。
【０００６】
本発明の他の目的は、前記のような結合部材を利用して耐久性のある擁壁構造物及びその築造方法を提供することにある。
【課題を解決するための手段】
【０００７】
課題を解決するための手段
前記目的を達成する本発明による擁壁構造物の結合部材は、互いに離隔されて一方向に伸延された一対の下方突出部と、前記下方突出部の突出方向に対して略垂直に前記下方突出部の端部を互いに連結する連結部と、を有している。
【０００８】
前記擁壁構造物の結合部材は、前記下方突出部の反対方向に前記連結部から延長された上方突出部をさらに有することが望ましい。
【０００９】
前記一対の下方突出部は、その突出端部に矢尻状部を有することが望ましい。
【００１０】
本発明による擁壁構造物は、水平方向に隣接配置された複数の第１擁壁ユニットにより形成された第１擁壁水平層と、前記第１擁壁水平層と平行で、前記第１擁壁水平層上に水平方向に隣接配置された複数の第２擁壁ユニットにより形成された第２擁壁水平層と、前記第２擁壁ユニットを貫通して前記第１擁壁ユニット内部に突出し、互いに離隔されて一方向に伸延された一対の下方突出部、及び、前記下方突出部の突出方向に対して略垂直に前記下方突出部の端部を互いに連結する連結部、を有し、前記第１擁壁ユニットと第２擁壁ユニットとを互いに支持するために前記第２擁壁水平層の上に配置された結合部材と、を具備している。
【００１１】
前記擁壁構造物は、一端部が前記第１擁壁水平層と第２擁壁水平層との間に配置され、他端部が前記擁壁ユニットにより支持される後埋立土内に延長され、前記下方突出部を受容する複数の貫通ホールを有する第１ジオグリッドシートをさらに具備することもできる。
【００１２】
本発明の他の側面によれば、水平方向に隣接配置された複数の第１擁壁ユニットにより形成された第１擁壁水平層と、前記第１擁壁水平層と平行で、前記第１擁壁水平層上に水平方向に隣接配置された複数の第２擁壁ユニットにより形成された第２擁壁水平層と、前記第２擁壁水平層と平行で、前記第２擁壁水平層上に水平方向に隣接配置された複数の第３擁壁ユニットにより形成された第３擁壁水平層と、前記第３及び第２擁壁ユニットを貫通して前記第１擁壁ユニット内部に突出し、互いに離隔されて一方向に伸延された一対の下方突出部、及び、前記下方突出部の突出方向に対して略垂直に前記一対の下方突出部の一端を互いに連結する連結部、を有し、前記第１擁壁ユニット、第２擁壁ユニット及び第３擁壁ユニットが互いに支持できるようにするために前記第３擁壁水平層の上に配置された結合部材と、を具備する擁壁構造物が提供される。
【００１３】
前記擁壁構造物は、一端部が前記第１擁壁水平層と第２擁壁水平層との間あるいは第３擁壁水平層の上に配置され、他端部が前記擁壁ユニットにより支持される後埋立土内に延長され、前記下方突出部を受容する複数の貫通ホールを有する第１、第２ジオグリッドシートをさらに具備することができる。
【００１４】
本発明の一側面による擁壁構造物築造方法は、水平方向に相互に隣接されるように複数の第１擁壁ユニットを配置することにより第１擁壁水平層を形成する工程と、前記第１擁壁水平層上で複数の第２擁壁ユニットを水平方向に相互に隣接配置することにより前記第１擁壁水平層上に第２擁壁水平層を平行に形成する工程と、一方向に伸延されかつ互いに離隔された一対の下方突出部と、前記下方突出部の各一端に略垂直に連結されることにより前記下方突出部を連結する連結部と、を有し、一対の下方突出部が前記第２擁壁ユニットを貫通して前記第１擁壁ユニット内部に突出される結合部材を、前記第２擁壁水平層に釘打ちする工程と、を有する。
【００１５】
本発明のまた他の側面によれば、水平方向に相互に隣接されるように複数の第１擁壁ユニットを配置することにより第１擁壁水平層を形成する工程と、前記第１擁壁水平層上で複数の第２擁壁ユニットを水平方向に相互に隣接配置することにより前記第１擁壁水平層上に第２擁壁水平層を平行に形成する工程と、第３擁壁水平層を前記第２擁壁水平層上に水平方向に隣接配置することにより前記第２擁壁水平層上に第３擁壁ユニットを平行に形成する工程と、一方向に伸延されかつ互いに離隔された一対の下方突出部と、前記下方突出部の各一端に略垂直に連結されることにより前記下方突出部を連結する連結部と、を有し、前記下方突出部が前記第３擁壁ユニット及び第２擁壁ユニットを貫通して前記第１擁壁ユニット内に突出される結合部材を、前記第３擁壁水平層に釘打ちする工程と、を有する擁壁構造物築造方法が提供される。
【００１６】
前記結合部材は、前記下方突出部の反対方向に前記連結部から延長された一対の上方突出部をさらに有することができる。
【００１７】
前記一対の下方突出部は、その突出端部に矢尻状部を有することが望ましい。
【００１８】
前記擁壁ユニットは砂袋または土袋で作られることが望ましい。
【００１９】
前記擁壁ユニットは、擁壁築造後、硬化する性質を有する材料で作られていることである。
【発明の効果】
【００２０】
発明の効果
本発明による擁壁構造物の結合部材及びこれを有する擁壁構造物及びその築造方法によれば、擁壁水平層間に配置された結合部材が上下に隣接配置された擁壁ユニット間に作用する水平方向のせん断力を支えることができるように擁壁ユニットを上下に支持結合することによって擁壁構造物の耐久性を半永久的に向上させることができる。
【００２１】
特に、結合部材の突出部が隣接する下部の擁壁水平層を貫通し、その下部に配置された擁壁水平層の擁壁ユニット内に突出させることにより、擁壁ユニット間の結合力をさらに倍加させ、擁壁構造物の耐久性をさらに向上させることができる。
【００２２】
図面の簡単な説明
図１は、本発明の一実施形態による擁壁構造物の斜視図である。
【００２３】
図２は、本発明の一実施形態による結合部材を有する擁壁構造物の断面図である。
【００２４】
図３〜図８は、図２に示す結合部材の実施形態を示す斜視図である。
【００２５】
図９は、本発明の他の実施形態による結合部材を有する擁壁構造物の断面図である。
【００２６】
図１０は、図９に示す結合部材の斜視図である。
【００２７】
図１１〜図１４は、本発明の一実施形態による擁壁構造物の築造方法を示す概念図である。
【００２８】
図１５〜図１８は、本発明の他の実施形態による擁壁構造物の築造方法を示す概念図である。
【発明を実施するための最良の形態】
【００２９】
発明を実施するための最良の形態
以下、添付図面に示す好ましい実施形態を説明する。図１は本発明の一実施形態による擁壁構造物の斜視図、図２は本発明の一実施形態による結合部材を有する擁壁構造物の断面図である。
【００３０】
図１、図２に示すように、本発明の一実施形態による擁壁構造物は、第１擁壁水平層１００と、この第１擁壁水平層１００上に平行に形成された第２擁壁水平層２００と、第２擁壁水平層２００の上に形成された第３擁壁水平層３００と、第２擁壁水平層２００と第３擁壁水平層３００に釘打ちされた結合部材１０、２０と、を有している。
【００３１】
第１擁壁水平層１００は、相互に水平方向に隣接配置された複数の第１擁壁ユニット１１０により形成されている。第２擁壁水平層２００は、第１擁壁水平層１００上で相互に水平方向に隣接配置された複数の第２擁壁ユニット２１０により形成されている。第３擁壁水平層３００は、第２擁壁水平層２００上で水平方向に隣接配置された複数の第３擁壁ユニット３１０により形成されている。ここで、第１、第２及び第３擁壁ユニット１１０、２１０、３１０は、砂袋または土袋で作られることが望ましい。また、砂と土の混合物で構成された材料が詰められた袋であってもよい。砂袋、土袋あるいはこれらの混合物の代りに、次第に硬化する性質を有する材料で作ることもできる。例えば、第１、第２及び第３擁壁ユニット１１０、２１０、３１０は、擁壁が築造された後に硬化する性質を有する湿った泥土ブロックのような材料を用いることもできる。
【００３２】
各結合部材１０、２０は、互いに離隔され、一方向に伸延された一対の下方突出部１１、２１と、一対の下方突出部１１、２１の一端に連結された連結部１３、２３とを有している。連結部１３又は２３は、下方突出部１１又は２１の一端に略垂直に連結されている。ここで、結合部材１０、２０は、上下隣接する第１擁壁ユニット１１０と第２擁壁ユニット２１０または第２擁壁ユニット２１０と第３擁壁ユニット３１０を互いに支持するために、結合部材２０の下方突出部２１は、第２擁壁ユニット２１０の内部を貫通して第１擁壁ユニット１１０に突出する。そして、結合部材１０の下方突出部２１は、第３擁壁ユニット３１０の内部を貫通して第２擁壁ユニット２１０に突出する。したがって、連結部１３、２３は、それぞれ第２擁壁ユニット２１０または第３擁壁ユニット３１０の上面に位置する。
【００３３】
図３〜図５は、図２に示す結合部材の種々の変形例を示す斜視図である。図３に示すように、結合部材１０は、互いに離隔されかつ一方向に伸延された一対の下方突出部１１と、下方突出部１１の一端を相互に連結する連結部１３とを有している。連結部１３は、下方突出部１１の一端の各々と略垂直に連結されている。図４に示すように、結合部材は、下方突出部２１の伸延方向とは反対の方向に連結部２３から延長された上方突出部２２をさらに有することもできる。
【００３４】
図５及び図６は、結合部材の矢尻状部を示している。一対の下方突出部１１、２１は、その突出端部に一度砂袋または土袋に刺し込まれれば容易に外側に抜けないような矢尻状部１４、２４を有してもよい。矢尻状部１４、２４は、図５、６に示すように、完全な矢尻状でもよく、半矢尻状でもよい。また、下方突出部１１、２１は、図７に示すように、擁壁ユニットにスムーズに釘うちされるように先端が鋭いコーン状としてもよく、さらに、下方突出部１１、２１が十分に薄い部材であれば、図８に示すように、丸く形成してもよい。これ以外に釣り針形状等を適用することもできる。このような矢尻状部１４、２４によって第１擁壁ユニット１１０と第２擁壁ユニット２１０、または第２擁壁ユニット２１０と第３擁壁ユニット３１０の連結構造はさらに堅固になる。
【００３５】
一方、本発明の一実施形態による擁壁構造物は、一端部が第１擁壁水平層１００と第２擁壁水平層２００との間に配置される第１ジオグリッドシート５１０をさらに有している。第１ジオグリッドシート５１０の他端部は、擁壁ユニット１１０、２１０、３１０により支持される後埋立土のような詰め物内に延長されている。第１ジオグリッドシート５１０には、複数の貫通ホール５１１が形成されている。結合部材１０、２０の下方突出部１１、２１は、第１ジオグリッドシート５１０に形成された貫通ホール５１１を貫通した後、擁壁ユニット１１０、２１０、３１０に挿入される。したがって、第１ジオグリッドシート５１０は、第１擁壁水平層１００と第２擁壁水平層２００との間に安定的に固定される。
【００３６】
ここまでは、本実施形態による擁壁は、３個の擁壁水平層１００、２００、３００を有するものを説明した。しかし、この技術分野で通常の知識を有する者であれば、４個以上の擁壁水平層も同様に適用できることは、自明である。
【００３７】
本発明の他の実施形態による擁壁構造物に対して詳細に説明する。図９は本発明の他の実施形態による結合部材を有する擁壁構造物を示す断面図である。なお、図２に示した参照符号と同じ参照符号は同じ構成でかつ同じ作用をする同一部材を示し、反復的説明は省略する。
【００３８】
本発明の他の実施形態による擁壁構造物は、図９に示すように、第１擁壁水平層１００と、第１擁壁水平層１００と平行にその上に形成された第２擁壁水平層２００と、第２擁壁水平層２００と平行にその上に形成された第３擁壁水平層３００と、第３擁壁水平層３００の上に配置される結合部材３０と、を有している。さらに、擁壁構造物は、第３擁壁水平層３００と平行にその上に形成された第４擁壁水平層４００と、第４擁壁水平層４００の上に配置される結合部材３０と、を有している。
【００３９】
第４擁壁水平層４００は、水平方向に隣接配置された複数の第４擁壁ユニット４１０により形成される。ここで第４擁壁水平層４００も、第１、第２及び第３擁壁ユニット１００、２００、３００と同様、砂袋や土袋または擁壁が築造された後に硬化する性質を有する材料で作ることができる。
【００４０】
図２に示す結合部材と同様の結合部材３０は、互いに離隔されるように一方向に伸延された一対の下方突出部３１と、下方突出部３１の各端を互いに連結する連結部３３とを有している。連結部３３は、下方突出部３１の各端部に略垂直に連結されている。但し、結合部材３０の下方突出部３１は、第３及び第２擁壁ユニット３１０、２１０を貫通して、第１擁壁ユニット１１０の内部に釘打ちされている。このため、下方突出部３１の長さは、第３及び第２擁壁ユニット３１０、２１０を貫通できる程度に十分に長くなければならない。同様に、他の結合部材３０の下方突出部３１は、第４及び第３擁壁ユニット４１０、３１０を貫通した後、第２擁壁ユニット２１０に釘打ちされている。図９に示す結合部材３０は、図３〜図８に示すような種々の形状を有するように形成することもできる。
【００４１】
一方、本発明の他の実施形態による擁壁構造物は、一端部が第１擁壁水平層１００と第２擁壁水平層２００との間と、第３擁壁水平層３００と第４擁壁水平層４００との間にそれぞれ配置される第１及び第２ジオグリッドシート５１０、５２０を有している。第１及び第２ジオグリッドシート５１０、５２０の他端部は、擁壁ユニット１１０、２１０、３１０、４１０により支持される後埋立土のような詰め物内に延長されている。ジオグリッドシート５１０、５２０には、複数の貫通ホール５１１、５２１が形成されている。下方突出部３１は、貫通ホール５１１、５２１を貫通し、その後第１及び第２擁壁ユニットに挿入される。したがって、第１及び第２ジオグリッドシート５１０、５２０は、擁壁水平層１００、２００、３００、４００間に安定的に固定される。
【００４２】
他の実施形態による擁壁は、４つの擁壁水平層１００、２００、３００、４００のみであるが、これは例示的であって、擁壁水平層が５個の層以上で形成された場合にも同様に適用できることは、この技術分野で通常の知識を有する者には自明である。
【００４３】
本発明の実施形態による擁壁構造物の築造方法を図面につき説明する。図１１〜図１４は、本発明の一実施形態による擁壁構造物の築造方法を示す概念図である。なお、ここでも、図２と図１１から図１４に示した参照符号と同じ参照符号は同じ構成でかつ同じ作用をする同一部材を示し、反復的説明は省略する。
【００４４】
まず、図１１に示すように、第１擁壁水平層１００を形成するために水平方向に複数の第１擁壁ユニット１１０を隣接配置する。選択的ではあるが、第１擁壁水平層１００を形成した後に、内側に複数の貫通孔５１１が形成された第１ジオグリッドシート５１０の一端部を第１擁壁水平層１００上に配置させる。
【００４５】
次に、図１２に示すように、第２擁壁水平層２００は、第１擁壁水平層１００上で複数の第２擁壁ユニット２１０を水平方向に隣接配置することにより第１擁壁水平層１００上に形成する。
【００４６】
そして、図１３に示すように、結合部材１０が、第２擁壁水平層２００に釘打ちされ、結合部材１０が第２擁壁ユニット２１０を貫通した後、第１擁壁ユニット１１０内に突出する。仮に、第１ジオグリッドシート５１０の一端部を第１擁壁水平層１００上に配置させたとすれば、下方突出部１１、２１が第１ジオグリッドシート５１０の貫通孔５１１を貫通させるようにする。
【００４７】
また、結合部材１０を釘打ちした後、図１４に示すように、第３擁壁ユニット３１０は、第３擁壁水平層３００を形成するため、擁壁水平層上に水平方向に隣接配置される。それから、複数の貫通孔５２１を有する第２ジオグリッドシート５２０の一端部が、第３擁壁水平層３００上に配置され、結合部材２０が、第３擁壁水平層３００に釘打ちされ、下方突出部２１が第３擁壁ユニット３１０を貫通した後、第２擁壁ユニット２１０内に突出される。仮に、第２ジオグリッドシート５２０の一端部を第３擁壁水平層３００上に配置させたとすれば、下方突出部１１、２１が第２ジオグリッドシート５２０の貫通孔５２１を貫通させるようにする。
【００４８】
図１５〜図１８は、本発明の他の実施形態による擁壁構造物の築造方法を示す概念図である。ここでも、図２及び図１５〜図１８に示した参照符号と同じ参照符号は同じ構成でかつ同じ作用をする同一部材を示し、反復的説明は省略する。
【００４９】
まず、図１５に示すように、第１擁壁水平層１００を形成するために、複数の第１擁壁ユニット１１０を水平方向に隣接配置する。上述したように、複数の貫通孔５１１を有する第１ジオグリッドシート５１０の一端部が、第１擁壁水平層１００上に配置してもよい。
【００５０】
次に、図１６に示すように、第２擁壁水平層２００が、第１擁壁水平層１００上に平行に形成される。そのため、複数の第２擁壁ユニット２１０が、第１擁壁水平層１００上で水平方向に隣接配置される。そして第３擁壁水平層３００が、第２擁壁水平層２００上で複数の第３擁壁ユニット３１０を水平方向に隣接配置させることにより、第２擁壁水平層２００上に平行に形成される。同様に選択的ではあるが、複数の貫通孔５２１が形成された第２ジオグリッドシート５２０を、第３擁壁水平層３００上に配置してもよい。
【００５１】
その次に、図１７に示すように、結合部材３０が、第３擁壁水平層３００上に釘打ちされる。この時、下方突出部３１は、第３及び第２擁壁ユニット３１０、２１０を貫通した後、第１擁壁ユニット１１０内に突出される。仮に、第１及び第２ジオグリッドシート５１０、５２０が、第１及び第３擁壁水平層１００、３００上に配置されれば、下方突出部３１は、第１及び第２ジオグリッドシート５１０、５２０の貫通孔５１１、５２１を貫通する。
【００５２】
また、図１８に示すように、結合部材３０が釘打ちされた後、第４擁壁水平層４００が、第４擁壁ユニット４１０を第３擁壁水平層３００上で隣接配置することにより第３擁壁水平層３００上で形成される。それから、結合部材３０は、第４擁壁水平層４００の釘打ちされる。この結果、下方突出部３１は、第４及び第３擁壁ユニット４１０、３１０を貫通した後、第２擁壁ユニット２１０内に突出される。仮に、第２ジオグリッドシート５２０の一端が、第３擁壁水平層３００上に配置されると、下方突出部３１１は、第２ジオグリッドシート５２０の貫通孔５２１を貫通する。
【００５３】
以上のように、本発明は、例示的限定的な実施形態と図面により説明したが、本発明はこれにより限定されるものではなく、本発明が属する技術分野で通常の知識を有する者により本発明の技術思想の下に記載される特許請求範囲の均等範囲内で多様な修正及び変形が可能なことはもちろんである。
【図面の簡単な説明】
【００５４】
【図１】本発明の一実施形態による擁壁構造物の斜視図である。
【図２】本発明の一実施形態による結合部材を有する擁壁構造物の断面図である。
【図３】図２に示す結合部材の実施形態を示す斜視図である。
【図４】図２に示す結合部材の実施形態を示す斜視図である。
【図５】図２に示す結合部材の実施形態を示す斜視図である。
【図６】図２に示す結合部材の実施形態を示す斜視図である。
【図７】図２に示す結合部材の実施形態を示す斜視図である。
【図８】図２に示す結合部材の実施形態を示す斜視図である。
【図９】本発明の他の実施形態による結合部材を有する擁壁構造物の断面図である。
【図１０】図９に示す結合部材の斜視図である。
【図１１】本発明の一実施形態による擁壁構造物の築造方法を示す概念図である。
【図１２】本発明の一実施形態による擁壁構造物の築造方法を示す概念図である。
【図１３】本発明の一実施形態による擁壁構造物の築造方法を示す概念図である。
【図１４】本発明の一実施形態による擁壁構造物の築造方法を示す概念図である。
【図１５】本発明の他の実施形態による擁壁構造物の築造方法を示す概念図である。
【図１６】本発明の他の実施形態による擁壁構造物の築造方法を示す概念図である。
【図１７】本発明の他の実施形態による擁壁構造物の築造方法を示す概念図である。
【図１８】本発明の他の実施形態による擁壁構造物の築造方法を示す概念図である。
【図１】
2009511794.tif 000003
【図２】
2009511794.tif 000004
【図３】
2009511794.tif 000005
【図４】
2009511794.tif 000006
【図５】
2009511794.tif 000007
【図６】
2009511794.tif 000008
【図７】
2009511794.tif 000009
【図８】
2009511794.tif 000010
【図９】
2009511794.tif 000011
【図１０】
2009511794.tif 000012
【図１１】
2009511794.tif 000013
【図１２】
2009511794.tif 000014
【図１３】
2009511794.tif 000015
【図１４】
2009511794.tif 000016
【図１５】
2009511794.tif 000017
【図１６】
2009511794.tif 000018
【図１７】
2009511794.tif 000019
【図１８】
2009511794.tif 000020
【国際調査報告】
2009511794.tif 000021
2009511794.tif 000022